(57)【要約】      （修正有）【課題】自動排泄処理装置を利用する場合に、おむつをおむつカップに取り付ける際の作業を、簡単かつ正確に行う。【解決手段】開口部５９０が設けられたおむつ１００の開口部の着用者側とは反対側に、自動排泄処理装置に用いるおむつカップ５００のためのアダプタ２００を設けると共に、アダプタを備えたおむつの使用に適した、開口部と開口部の内側に段差５９３を有するおむつカップと、アダプタを開口部が設けられたおむつに取り付けるためのアダプタ取り付け治具を提供する。【選択図】図８
2015112149.tif 000002
【特許請求の範囲】
【請求項１】
着用者の股間に当接される部分に開口部を有するおむつであって、
前記開口部には、前記着用者に当接する側とは反対側に、前記開口部を取り囲む輪状のアダプタが設けられており、
前記輪状のアダプタは、前記開口部を取り囲む輪状のフレームと、仮止めクリップと、輪状のパッキンとから構成されており、
前記開口部では、前記おむつの前記開口部の内縁側を前記輪状のフレームに沿って折り返し、前記輪状のフレームに沿って折り返された前記おむつを、前記仮止めクリップによって、前記着用者に当接する側とは反対側から、前記輪状のフレームに沿って仮止めし、
前記輪状のフレームに沿って仮止めされた前記おむつの開口部の内縁側と前記仮止めクリップとを前記輪状のパッキンによって、前記着用者に当接する側とは反対側から被覆して固定したことを特徴とするアダプタを備えたおむつ。
【請求項２】
請求項１に記載したおむつを用いる自動排泄処理装置のおむつカップであって、
前記おむつカップは、少なくとも着用者の排泄物を受ける開口部と前記開口部を入口とする凹部とを有し、
前記開口部の入口部分には前記開口部の内縁に沿って段差が設けられ、
前記開口部の大きさは前記おむつに設けられた開口部の大きさに適合するように設けられており、前記段差の深さと幅とは、前記おむつの開口部に設けられたアダプタを構成する前記輪状のパッキンの高さと幅とに適合するように設けられており、
前記開口部に前記おむつの開口部に設けられたアダプタを当接すると共に、前記おむつに固定された前記アダプタの輪状のパッキンを前記段差内に挿入する事により、前記おむつを前記おむつカップに装着する事を特徴とする請求項１に記載したおむつを用いる自動排泄処理装置のおむつカップ。
【請求項３】
前記おむつへの前記アダプタの取り付けに用いる治具であって、
前記治具はベース板と前記ベース板の上面に立設された成型フレームとからなり、
前記ベース板は、少なくとも前記アダプタを備えたおむつが使用される前記自動排泄処理装置のおむつカップの、前記開口部の開口面が構成する曲面に適合させた上面を有し、
前記成型フレームは、前記おむつを前記ベース板の上面に当接した場合に、前記おむつの開口部よりも僅かに大きな相似形の外縁を有しており、前記成型フレームの外縁には、前記外縁から前記成型フレームの内側にかけて前記仮止めクリップの片側の側面を収容可能な窪みが設けられたことを特徴とする請求項１に記載のおむつの組み立てに用いる治具。
【請求項４】
前記おむつカップの底面には、前記おむつカップが臀部側当接部の臀部側当接面から前記臀部側当接部の底部側に向かう方向に押圧された場合に、前記おむつカップを前記臀部側当接部から前記立ち上がり部方向へ移動させる力を発生させる形状を含む凹凸構造を有する請求項２に記載のおむつカップ。
【発明の詳細な説明】
【技術分野】
【０００１】
本発明は自動排泄処理装置に使用するおむつカップのためのアダプタを備えたおむつ、及び、前記アダプタを備えたおむつを使用するおむつカップ、並びに、前記アダプタをおむつに取り付けるための治具、に関するものである。
【背景技術】
【０００２】
尿や便の排泄について介護を要する人向けに開発された装置として、介護者が不在の場合や夜間の時間帯などの、介護者による介護が難しい場合に、要介護者の排泄物の処理を自動的に行うための装置（以下「自動排泄処理装置」という。）が開示されている（特許文献１、特許文献２）。
【０００３】
上記自動排泄処理装置は、図１に示すように、一般的には、要介護者１０のおむつ２０に取り付けられ、排泄物等を収受するおむつカップ３０と、可撓性のあるホースユニット４０と、前記おむつカップ３０に前記ホースユニット４０を介して接続される本体部５０とからなっている。このうち、前記本体部５０には、前記おむつカップ３０に洗浄水を供給するための水タンクや、前記おむつカップ３０に収受された排泄物を吸引して貯蔵するための汚物タンク、前記洗浄水の供給や排泄物の吸引のためのモータ、制御装置などが配設されており、前記おむつカップ３０には、排泄物等を受けるための受容部や、排泄物等を検出するためのセンサ、洗浄水の噴射口と排泄物等の吸引口、温風の吹き出し口などが設けられ、更に、前記ホースユニット４０には、前記本体部５０と前記おむつカップ３０とを接続する信号線やパイプ等がまとめられており、前記おむつカップ３０と本体部５０とを接続している。
【０００４】
そして、こうした自動排泄処理装置は、要介護者の尿道口、外陰部や肛門などの股間を中心とした局部の周囲に、おむつを介して上記おむつカップを装着して使用するものであり、上記要介護者が上記おむつカップ内に尿や便を排泄した場合には、当該排泄された尿や便を、別に設けた上記本体部に吸引すると共に、局部を洗浄し、その後温風などを吹きつけて、局部周囲を乾燥させ、清潔に保つ機能を有している。
【０００５】
上記のように、自動排泄処理装置は、要介護者の局部の周囲に、おむつを介して上記おむつカップを装着して使用するものであるため、使用の際には、おむつをおむつカップに取り付ける必要がある。
【０００６】
しかし、従来から、おむつをおむつカップに取り付ける際には、多大な手間と熟練とを要すると共に、正確に取り付けを行わない場合には、おむつとおむつカップとの間から漏れが生ずる、という問題があった。
【０００７】
すなわち、従来、おむつをおむつカップに取り付ける際には、両面粘着テープなどを用いて、おむつをおむつカップに貼着していた（引用文献３）。しかし、前記おむつとおむつカップとの間からの漏れを防ぐためには、上記貼着する部分（貼着面）にたるみや隙間が生じないように、密着性を高くして、上記貼着面でおむつとおむつカップとを、なるべく正確に貼着する必要があった。
【０００８】
しかし、おむつカップの構造は立体的なものであり、要介護者の臀部側に当接される臀部側当接部と股間側に当接される立ち上がり部とは相互に垂直に近い構造で構成されており、更に、要介護者の体に面した側では特に曲線を多用した構造を有しているため、漏れが生じないように正確に貼着することは難しく、上記貼着を行うために時間を要し、介護労力が過大となっていた。
【０００９】
また、近年、いわゆる老々介護といわれる状況も生じており、上記のような貼着作業を行う介護者は、要介護者との関係から高齢者である場合も多いため、更に時間を要する場合が多く、３０分以上の時間を要する事も稀ではなかった。
【００１０】
さらに、自動排泄処理装置は、数日の使用に耐えるものもあるが、介護保険制度上、おむつは毎日交換することが必要であるため、上記自動排泄処理装置は有益である反面、おむつをおむつカップに取り付ける作業は介護者と要介護者との双方の負担となっていた。
【先行技術文献】
【特許文献】
【００１１】
【特許文献１】特開平６−５４８７４号公報
【特許文献２】特開平８−３２２８６８号公報
【特許文献３】特開２００６−１４１５９０号公報
【発明の概要】
【発明が解決しようとする課題】
【００１２】
本発明は、上記のように、自動排泄処理装置を利用する場合に、おむつをおむつカップに取り付ける際の作業の困難性を考慮して、これを簡単かつ正確に行うことを課題とするものである。そのため、上記取り付ける際の作業が容易な、自動排泄処理装置に用いるためのアダプタ付きのおむつと、前記アダプタ付きのおむつを装着可能なおむつカップと、前記アダプタ付きのおむつを組み立てるためのアダプタ取り付け治具とを提供する事を課題とする。
【課題を解決するための手段】
【００１３】
上記課題を解決するために本発明は、着用者の股間に当接される部分に開口部を有するおむつであって、前記開口部には、前記着用者に当接する側とは反対側に、前記開口部を取り囲む輪状のアダプタが設けられており、前記輪状のアダプタは、前記開口部を取り囲む輪状のフレームと、仮止めクリップと、輪状のパッキンとから構成されており、前記開口部では、前記おむつの前記開口部の内縁側を前記輪状のフレームに沿って折り返し、前記輪状のフレームに沿って折り返された前記おむつを、前記仮止めクリップによって、前記着用者に当接する側とは反対側から、前記輪状のフレームに沿って仮止めし、前記輪状のフレームに沿って仮止めされた前記おむつの開口部の内縁側と前記仮止めクリップとを前記輪状のパッキンによって、前記着用者に当接する側とは反対側から被覆して固定したことを特徴とするアダプタを備えたおむつを提供する。
【００１４】
また、上記課題を解決するために本発明は、前記アダプタを備えたおむつを用いる自動排泄処理装置のおむつカップであって、前記おむつカップは、少なくとも着用者の排泄物を受ける開口部と前記開口部を入口とする凹部とを有し、前記開口部の入口部分には前記開口部の内縁に沿って段差が設けられ、前記開口部の大きさは前記おむつに設けられた開口部の大きさに適合するように設けられており、前記段差の深さと幅とは、前記おむつの開口部に設けられたアダプタを構成する前記輪状のパッキンの高さと幅とに適合するように設けられており、前記開口部に前記おむつの開口部に設けられたアダプタを当接すると共に、前記おむつに固定された前記アダプタの輪状のパッキンを前記段差内に挿入する事により、前記おむつを前記おむつカップに装着する事を特徴とする前記アダプタを備えたおむつを用いる自動排泄処理装置のおむつカップを提供する。
【００１５】
また、上記課題を解決するために本発明は、前記着用者の股間に当接される部分に開口部を有するおむつについて、前記おむつへの前記アダプタの取り付けに用いる治具であって、前記治具はベース板と前記ベース板の上面に立設された成型フレームとからなり、前記ベース板は、少なくとも前記アダプタを備えたおむつが使用される前記自動排泄処理装置のおむつカップの前記開口部の開口面が構成する曲面に適合させた上面を有し、前記成型フレームは、前記おむつを前記ベース板の上面に当接した場合に、前記おむつの開口部よりも僅かに大きな相似形の外縁を有しており、前記成型フレームの外縁には、前記外縁から前記成型フレームの内側にかけて前記仮止めクリップの片側の側面を収容可能な窪みが設けられたことを特徴とする、前記アダプタを備えたおむつの組み立てに用いる治具を提供する。
【００１６】
また、上記課題の解決は、前記おむつカップの底面には、前記おむつカップが、臀部側当接部の臀部側当接面から前記臀部側当接部の底部側に向かう方向に押圧された場合に、前記おむつカップを前記臀部側当接部から前記立ち上がり部方向へ移動させる力を発生させる形状を含む凹凸構造を有するおむつカップにより更に効果的に達成される。
【発明の効果】
【００１７】
本発明に係るアダプタを備えたおむつ及び当該アダプタを備えたおむつを使用するおむつカップによれば、これらを自動排泄処理装置に使用する場合に、従来行われていたように、おむつをおむつカップに両面粘着テープを用いて貼り付ける必要が無く、上記アダプタをおむつに設けて、上記アダプタが設けられたおむつをおむつカップに当接して押し込むだけで装着することが可能となる。
【００１８】
したがって、自動排泄処理装置を使用するために、おむつをおむつカップに装着する事が極めて容易になると共に、これを正確に行う事が可能となる。
【００１９】
そのため、自動排泄処理装置を使用する場合に、おむつをおむつカップに取り付ける作業の際に、介護者又は要介護者に必要とされる介護労力の負担を軽減する事が可能であり、併せて、おむつカップとおむつとの間の漏れを効果的に防止することも可能である。
【００２０】
また、本発明のおむつアダプタ取り付け治具によれば、上記自動排泄処理装置を利用する介護者乃至要介護者に対して、上記おむつアダプタを備えたおむつを低コストかつ容易に、提供する事が可能である。
【図面の簡単な説明】
【００２１】
【図１】自動排泄処理装置の概要を示す斜視図である。
【図２】本発明に係るアダプタを備えたおむつと、そのアダプタの各構成要素の概要を示す斜視図である。
【図３】アダプタの構成要素である仮止めクリップの斜視図である。
【図４】アダプタの構成要素である輪状パッキンの断面図である。
【図５】図２におけるアダプタを備えたおむつのＩ―Ｉでの断面図である。
【図６】本発明のおむつカップの基本的構成を示す斜視図である。（Ａ）は本発明のおむつカップ全体の構成を示す斜視図であり、（Ｂ）は、（Ａ）に記載した上方抜け止めロック部品の別の実施例を示す斜視図である。
【図７】本発明に係るおむつカップに対して、アダプタを備えた開口部が設けられたおむつを装着する方法を示す概念図である。
【図８】アダプタを備えたおむつを本発明のおむつカップに装着した場合の概念図である。（Ａ）はアダプタを備えたおむつを本発明のおむつカップに装着した場合の概念を表す斜視図、（Ｂ）は、（Ａ）に示した斜視図のＡ―Ａ線の部分を上面から見た場合の断面図、図（Ｃ）は（Ａ）に示した斜視図のＢ―Ｂ線の部分を正面から見た場合の断面図である。
【図９】アダプタを備えたおむつを本発明のおむつカップに装着した場合の断面を、おむつカップの側面から示したものである。
【図１０】ズレ防止機構の説明図である。（Ａ）は、臀部側当接面から下方に力がかかっていない場合のおむつカップの臀部側当接部の底部側の側面図であり、（Ｂ）は力がかかっている場合のおむつカップの臀部側当接部の底部側の側面図である。
【図１１】アダプタ取り付け冶具の概要を示す斜視図である。
【図１２】アダプタ取り付け冶具により、開口部を有するおむつにアダプタを取り付ける手順を示す説明図である。
【発明を実施するための形態】
【００２２】
以下に、図面を用いて本発明のアダプタを備えたおむつ及び前記アダプタを備えたおむつを使用するおむつカップ、並びに、前記アダプタをおむつに取り付けるための治具について実施の形態を説明する。なお、図面の記載に関しては、重複する部分や構成要素等についての表記や説明については、適宜省略する場合があり、また、図面は模式的なものであるため、各構成要素の厚みや平面寸法との関係、各構成要素相互間の縮尺や比率などについては、現実のものとは異なる場合がある。
【００２３】
最初に本発明に係るアダプタを備えたおむつについて説明する。
【００２４】
図２は、本発明に係るアダプタを備えたおむつとそのアダプタの各構成要素の概要を示す斜視図である。
【００２５】
本発明に係るアダプタ２００を備えた開口部が設けられたおむつ１００は、同図２に示すように、着用者１０の股間に当接される部分に開口部１２０を有している。
【００２６】
前記開口部１２０は、更に詳細には、前記おむつ１００のうち、前記着用者１０の尿道口、外陰部や肛門などの股間を中心とした局部に当接される部分に該当し、前記開口部１２０には、着用者１０に当接される側とは反対側に、前記開口部１２０を取り囲む輪状のアダプタ２００が設けられている（図５）。
【００２７】
そして、前記輪状のアダプタ２００は、同図２に示すように、前記開口部１２０を取り囲む輪状のフレーム２２０と、仮止めクリップ２４０と、輪状のパッキン２６０とから構成されている。なお、図３では、前記仮止めクリップ２４０の１つを拡大して示しており、図４では、前記輪状パッキン２６０の断面の例を示している。
【００２８】
更に、図５を用いて、前記輪状のアダプタ２００の構造を更に具体的に説明する。
【００２９】
図５は、図２に記載した輪状のアダプタ２００を備えたおむつ１００の同図中のＩ―Ｉ線における断面のうち、前記輪状のアダプタ２００部分を中心として示す断面図である。
【００３０】
同図５に示すように、前記開口部１２０では、前記おむつ１００の前記開口部１２０の内縁側１２５を前記輪状のフレーム２２０に沿って折り返し、前記輪状のフレーム２２０に沿って折り返された前記おむつの前記開口部１２０の内縁側１２５を、前記仮止めクリップ２４０によって、前記着用者１０に当接する側とは反対側から、前記輪状のフレーム２２０に沿って仮止めしている。
【００３１】
そして、前記輪状のフレーム２２０に沿って仮止めされた前記おむつの開口部の内縁側１２５と前記仮止めクリップ２４０とは、前記輪状のパッキン２６０によって、前記着用者１０に当接する側とは反対側から被覆して固定されている。
【００３２】
このような構成を採る事により本発明では、前記開口部を有するおむつ１００を自動排泄処理装置に使用する際には、前記開口部を有するおむつ１００のうち着用者１０に装着される側とは反対側に、容易に上記輪状のアダプタ２００を組み立てて取り付けることが可能となっており、その結果、前記開口部を有するおむつ１００に上記輪状のアダプタ２００を確実に固定する事が可能である。その一方、使用が終了した場合には、上記アダプタ２００は、使用する際とはアダプタ２００に加える力の方向が異なるため、各構成部品に容易に分解する事が可能であり、介護者などの利用者が再利用する事も容易に可能である。
【００３３】
また、上記輪状のアダプタ２００の構成要素について更に詳細に説明すると、図２に示した前記輪状のフレーム２２０は、上述のように、前記開口部が設けられたおむつ１００の当該開口部１２０の内縁側１２５を周囲に巻き取って、保持するものである。そのため、前記輪状フレーム２２０形状は、細長い平板状の形状を有する素材を環状に形成したものであり、上記平板が当該環状に形成される閉曲面に垂直になるように形成されている。そのため、前記輪状のフレーム２２０を前記開口部が設けられたおむつ１００に当接して上記輪状のアダプタ２００を形成する場合には、前記輪状のフレーム２２０の断面の長辺部分が前記開口部が設けられたおむつ１００の開口部１２０の周囲に立設されるように構成される。
【００３４】
そして、前記輪状のフレーム２２０の素材は、比較的柔軟な材料から構成されるが、前記開口部が設けられたおむつ１００の開口部１２０の周囲において、一定の形状を保持できる程度の強度を有し、耐蝕性のあるものが望ましい。また、前記輪状のアダプタ２００を繰り返して使用する場合には、相応の強度を有し、耐蝕性のある素材として、ステンレスなどの材料を用いる事も可能である。
【００３５】
また、図２及び図３に示した前記仮止めクリップ２４０は、上記のように、前記開口部が設けられたおむつ１００の当該開口部１２０の内縁側１２５を前記おむつの開口部の周囲に立設された前記輪状のフレーム２２０の周囲に仮止めするものである。そのため、当該目的が達せられれば形状に限定は無いが、例えば、図３において斜視図で示したように、断面が概ね「コ」の字状のクリップであって、前記「コ」の字の開放端側２４５が、わずかに内側になっていると共に、開放端自体は外側に広がった形態のものを使用しても良い。したがって、例えば市販されているガチャ玉（登録商標）クリップのようなものを使用する事も可能である。
【００３６】
また、上記仮止めクリップ２４０は上記目的を達成するものであるから、使用する個数に限定は無いが、前記おむつの開口部を構成する（輪状の）閉曲線に対応して、前記開口部が設けられたおむつ１００の開口部の内縁側１２５を仮止めするものであるため、少なくとも上記閉曲線のうち、曲率の大きい部分の仮止めに対応できる程度の個数が必要である。
【００３７】
また、図２及び図４に示した前記輪状のパッキン２６０は、上記のように、上記輪状のフレーム２２０の周囲に仮止めクリップ２４０によって仮止めされたおむつの開口部１２０の内縁側１２５について、これらを一体的に覆って側面から押圧することにより形態を保持するものである。
【００３８】
したがって、前記輪状のパッキン２６０は、少なくとも上記輪状のフレーム２２０と同程度以上の大きさの輪状をしており、断面が、「コ」の字状であって、前記「コ」の字の開放端の内部に、前記輪状のフレーム２２０の周囲に仮止めクリップ２４０によって仮止めされたおむつの開口部１２０の内縁側１２５を、収容できる機能を有することが必要である。また、前記輪状のパッキン２６０は、開口部が設けられたおむつ１００に形成された輪状のアダプタ２００の構成要素として、後述するおむつカップ５００に装着された際には、前記おむつカップ５００の開口面に当接されるものであるため、前記おむつカップ５００との間で排泄物等の固体乃至液体をシールする必要があるものである。そのため、以上の理由から、上記輪状のパッキン２６０は、耐水性が有りかつ、ゴムやエラストマーのような弾性のある材料で構成されている。また、前記輪状のパッキン２６０は図４で断面を示したように、更に、前記おむつカップ５００に装着された場合のシール性を高めるために、前記おむつカップ５００の開口部５９０内の凹部の内面に接触する部分に、シール用のリップ２６５を設けたり、前記仮止めクリップ２４０のための窪み２６４を設けたりしても良く、前記のようにおむつの開口部の内縁側１２５が輪状のフレーム２２０の周囲に折り返された部分が抜け落ちることを防止するために、返し部２６６を設ける事も可能である。なお、同図４中で、Ｈの示す矢印は前記輪状のパッキン２６０の高さを示し、Ｗの示す矢印は前記輪状のパッキン２６０の幅を示している。
【００３９】
次に、上記アダプタ２００を備えた開口部が設けられたおむつ１００を用いる自動排泄処理装置のための、本発明に係るおむつカップ５００について説明する。
【００４０】
図６は、本発明のおむつカップ５００の基本的構成を示す斜視図である。このうち図６（Ａ）は本発明のおむつカップ５００全体の構成を示す斜視図であり、図６（Ｂ）は、図６（Ａ）に記載した上方抜け止めロック部品５１０の別の実施例５１０（Ｂ）を示す斜視図である。
【００４１】
本発明のおむつカップ５００は、大別すると、上方向抜け止めロック部品５１０と立ち上がり部５５０と臀部側当接部５７０とから構成されている。そして、全体的には、抗菌性を持たせたシリコンラバーなどのエラストマーを主体とした材質によって構成されており、特に要介護者１０に対して、おむつ１００を介することにより間接的ではあるが当接する部分については、軟質材料により形成されている。
【００４２】
前記おむつカップ５００を構成する前記上方向抜け止めロック部品５１０は、前記おむつカップ５００の前記立ち上がり部５５０の上端側に、着脱可能に接続する部品である。
【００４３】
そして、前記上方向抜け止めロック部品５１０は、前記アダプタ２００を備えた開口部が設けられたおむつ１００を前記おむつカップ５００に装着した場合に、前記アダプタ２００を備えた開口部が設けられたおむつ１００が、上方乃至斜め上方向へ抜け出るのを防止するために用いられる。
【００４４】
そのため、前記上方向抜け止めロック部品５１０と前記立ち上がり部５５０との間には、適当な係止構造乃至係止部品を設けてこれらを着脱可能に形成している。そして、前記適当な係止構造乃至係止部品の形態については、上記のように、前記アダプタ２００を備えた開口部が設けられたおむつ１００が、前記立ち上がり部５５０から上方乃至斜め上方向へ抜け出るのを防止でき、かつ、容易に着脱出来るものであれば、限定を設けるものではない。そのため、例えば、前記図６に示した例では、前記上方向抜け止めロック部品５１０の下部と前記立ち上がり部５５０の上部との着脱部分を、相補的な形態（断面が逆等脚台形状）を有する凸部５５２と凹部５１２との組み合わせとしており、前記上方抜け止めロック部品５１０を前記立ち上がり部５５０の上方において、前記立ち上がり部５５０の背面の水平方向からスライドして移動する事により、嵌合と取り外しとを可能している。
【００４５】
したがって、このような構成を採る事によって、前記上方抜け止めロック部品５１０を前記立ち上がり部５５０に対して着脱可能な構造とする事も可能である。
【００４６】
また、前記図６（Ｂ）に示すように、前記上方抜け止めロック部品５１０の上面の一端側から前記臀部側当接部５７０の前記立ち上がり部５５０が設けられた一端側とは反対側の端部方向へ向けて、前記おむつカップ５００の底面とは平行に、前側当接部５１５を設けて、前記上方抜け止めロック部品５１０Ｂとする事も可能である。
【００４７】
そして、その場合には、前記アダプタ２００を備えた開口部が設けられたおむつ１００を、前記要介護者１０の股間から腹部方向に向かう前面から保持することも可能となる。
【００４８】
次に、上記おむつカップ５００を構成する前記立ち上がり部５５０は、上記おむつカップ５００を装着する場合には、一般的に仰臥位の状態にある要介護者１０の股間部分に当接されるものである。前記立ち上がり部５５０は、前記要介護者１０が仰臥位にある状態では、前記上方抜け止めロック部品５１０の下部から下方方向へ接続するように形成されており、前記臀部側当接部５７０の一端側からは、水平面に対して垂直に立設されている。
【００４９】
そして、前記立ち上がり部５５０には、要介護者１０側に開口部を有する凹状の窪みである捕集部５５４が設けられており、前記捕集部５５４を構成する前記凹状の窪みは、前記臀部側当接部５７０に設けられた後述する受容部５７４がつくる凹状の窪みと共に、空間的に連続する凹部を構成している。そして、こうして構成される空間的に連続した凹部の入口は、本おむつカップの開口部５９０を形成している。
【００５０】
また、上記立ち上がり部５５０の背面、すなわち、前記凹状の窪みである捕集部５５４のある側とは反対側の面には、前記臀部側当接部５７０にかけて、自動排泄処理装置に接続される、センサの接続端子、浄水のための通流管、温風のための通風管、排泄物の吸引のための吸引管などの接続口が設けられている。（なお、上記図６（Ａ）中では、上記排泄物の吸引のための吸引管接続口５５６の一部のみを表示している。）
なお、上記立ち上がり部５５０の背面に設けた上記構成要素のうち、センサ接続端子は受容部５７４などに設けられた排尿・排便などのセンサからの情報を自動排泄処理装置の本体部の制御装置に伝達するために用いるものであり、浄水のための通流管の接続口は、排尿乃至排便があった場合に股間部を洗浄するために、前記立ち上がり部５５０に設けられた洗浄液供給ノズルへ浄水を供給するためのものである。また、温風のための通風管の接続口は前記おむつカップ５００に設けられた凹状の窪み中に前記自動排泄処理装置の本体部からの温風を供給するために、前記受容部５７４に設けた温風供給口に温風を供給するための接続口であり、前記排泄物の吸引のための吸引管の接続口は、前記立ち上がり部５５０の下部であり前記臀部側当接部５７０の受容部５７４の末端でもある吸引口から前記尿や便等の排泄物を本体部へ吸引するための接続口である。
【００５１】
また、上記おむつカップ５００を構成する臀部側当接部５７０は、上記おむつカップ５００を要介護者１０に装着する際には、仰臥位の姿勢にある前記要介護者１０の臀部部分から股間部分にかけて当接されるものであり、マットレスや布団などの寝具と要介護者１０との間に配設される。これにより本おむつカップ５００は、要介護者１０に対して相対的な位置を保持される。
【００５２】
また、上記臀部側当接部５７０はさらに、前記要介護者１０の臀部側に面して構成される臀部側当接面５７２と、上記臀部側当接部５７０の上記立ち上がり部５５０側に設けられ、前記要介護者１０の臀部側（さらに、正確には肛門側）に向けた開口部を有する凹状の窪みである受容部５７４が設けられており、前記受容部５７４を構成する前記凹状の窪みは、前記立ち上がり部５５０に設けられた上述した捕集部５５４がつくる凹状の窪みと共に、空間的に連続する凹部を構成し、本おむつカップ５００の開口部５９０を構成している。
【００５３】
上記臀部側当接面５７２は、上記のようにおむつを介して要介護者１０の臀部側に当接されるものであり、軟質素材で形成されている。そのため、上記臀部側当接面５７２は要介護者１０の臀部の形状に併せてある程度の変形が可能に構成され、応力の分散を通じて褥瘡の発生を抑制するようになっている。
【００５４】
また、上記臀部側当接面５７２は、上記立ち上がり部５５０の側から離れるにつれて、上記臀部側当接部５７０の底部側５７６に近付くように構成されている。そのため、前記臀部側当接部５７０を前記底部側５７６を下にして水平に置いて側面から見た場合には、前記臀部側当接部５７０は、前記立ち上がり部５５０が設けられた側とは他端側を先端とした、楔状に形成されている。
【００５５】
また、上記受容部５７４は、上記臀部側当接部５７０の立ち上がり部５５０側に設けられた窪みである。そして、前記窪みは、前記臀部側当接面５７２側から前記底部側５７６の内側にかけて設けられている。
【００５６】
更に、上記受容部５７４は、上述のように、前記立ち上がり部５５０に設けられた捕集部５５４とは空間的に連続する窪みである凹部を構成して、おむつカップ５００の開口部５９０の一部を形成し、要介護者の排泄物を前記捕集部等で受けて一時的に貯留する機能を有している。
【００５７】
そして、本発明に係るおむつカップ５００では、上記おむつカップ５００の、前記開口部５９０の入口部分には前記開口部５９０の内縁に沿って段差５９３が設けられ、前記段差５９３の深さと幅とは、前記開口部が設けられたおむつ１００の開口部に設けられた輪状のアダプタ２００を構成する前記輪状のパッキン２６０の高さＨと幅Ｗとに適合するように設けられており、前記おむつカップ５００の開口部５９０に前記開口部が設けられたおむつ１００に設けられた輪状のアダプタ２００を当接すると共に、前記開口部が設けられたおむつ１００に固定された前記アダプタ２００の輪状のパッキン２６０を前記段差内に挿入する事により、前記アダプタを備えた前記開口部が設けられたおむつ１００を前記おむつカップ５００に装着する事が可能となっている。
【００５８】
次に、以上のように構成された本発明に係るおむつカップ５００に、前記アダプタ２００を備えた前記開口部が設けられたおむつ１００の装着方法について説明する。
【００５９】
図７は、本発明に係るおむつカップ５００に対して、アダプタ２００を備えた前記開口部が設けられたおむつ１００を装着する方法を示す概念図である。本発明に係るおむつカップ５００に前記アダプタ２００を備えた前記開口部が設けられたおむつ１００を装着する場合には、最初に本発明に係るおむつカップ５００を水平面上に戴置する。そして、このように水平面上に戴置した前記おむつカップ５００の上方からアダプタ２００を備えたおむつ１００を同図中の矢印のように降下させて、本おむつカップ５００の開口部５９０入口の内縁部分に構成された段差部分５９３に対して、前記アダプタ２００を備えたおむつ１００の前記アダプタ２００の部分を押下して、順次はめ込むことによって固定する。
【００６０】
図８は、このようにして、前記アダプタ２００を備えたおむつ１００を本発明のおむつカップ５００に装着した場合の概念図である。同図中、図８（Ａ）はアダプタを備えたおむつを本発明のおむつカップ５００に装着した場合の概念を表す斜視図、図８（Ｂ）は、図８（Ａ）に示した斜視図のＡ―Ａ線の部分を上面から見た場合の断面図、図８（Ｃ）は図８（Ａ）に示した斜視図のＢ―Ｂ線の部分を正面から見た場合の断面図である。図８で示したように、本おむつカップ５００に前記アダプタ２００を備えたおむつ１００を装着すると、前記おむつカップ５００の開口部５９０に設けられた段差５９３内に前記おむつ５００のアダプタ２００が嵌まり込んで固定される。そして、前記嵌まり込んだ部分の断面は、図８（Ｂ）及び図８（Ｃ）に示すように、本おむつカップ５００の段差の深さが前記アダプタ２００を構成する輪状のパッキン２６０の高さＨに相当し、本おむつカップ５００の段差の幅が前記アダプタを構成するパッキンの幅Ｗに相当しているため、前記おむつカップ５００に対して前記アダプタ２００を備えたおむつ１００が隙間無く装着される。
【００６１】
なお、前記図８（Ｂ）及び図８（Ｃ）に例示した輪状のパッキン２６０には、リップ部２６２が供えられており、前記おむつカップ５００と前記アダプタ２００を備えたおむつ１００との間の密封性を更に強化する事も可能となっている。
【００６２】
そして上記のように、前記おむつカップ５００の開口部５９０に設けられた段差内に前記おむつ１００のアダプタ２００が嵌まり込んで固定された後に、上記上方向抜け止めロック部品５１０を立ち上がり部５５０の上方にはめ込む事により、本おむつカップ５００へのアダプタ２００を備えたおむつ１００の装着が完了する。
【００６３】
図９は、このようにして、アダプタ２００を備えたおむつ１００を本発明のおむつカップ５００に装着した場合の断面を前記おむつカップ５００の側面から見たものである。
【００６４】
このように、前記おむつカップ５００に前記アダプタ２００を備えたおむつ１００を装着した後で、上方向抜け止めロック部品５１０を立ち上がり部５５０の上方にはめ込む事により、上記のように装着された前記アダプタ２００を備えたおむつカップ１００が、上方乃至同図９中の矢印Ｕで示したような斜め上方向へ抜けることを防止できるため、自動排泄処理装置を使用する際に、要介護者１０が動いた場合であっても、おむつカップ５００から前記アダプタ２００付きおむつ１００が、容易に外れる事が無く、密封性を維持する事が可能である。
【００６５】
また、本発明では、前記臀部側当接部５７０の下部に、おむつカップが着用者の体軸の上下方向に対して、下方にずれないために、図１０に示したような、ズレ防止機構を設けている。
【００６６】
これは、図１０（Ａ）で示したように、臀部側当接部の底部側５７６に、前記おむつカップ５００の側面から見た場合に、先端が三角形状に構成された複数の突起列５８０を設けたものであり、前記突起列５８０は、前記臀部側当接部５７０のうち、立ち上がり部５５０側に設けられた一端側の中心からから他端側の中心を結ぶ線分に対して垂直に構成されている。そして、前記三角形状の先端は、前記三角形を構成する頂点部５８２が前記臀部側当接部５７０の置かれた水平面上に接していると共に、斜辺部分５８４は、前記立ち上がり部５５０の設けられた側とは反対方向の側に設けられている。
【００６７】
上記のようにズレ防止機構が設けられている結果、図１０（Ｂ）に示すように、臀部側当接面５７２から底部側５７６に力が加えられた場合には、上記突起列の先端は、側面から見て前記三角形状を構成する斜辺部分５８４方向に撓むが、その撓みにより生ずる復元力が、前記おむつカップ全体を図１０（Ｂ）中の矢印で示すように、おむつカップ５００の着用者１０の体軸の上方方向へ作用するため、前記おむつカップ５００の着用者１０に対して、本おむつカップ５００が下方にずれる事を効果的に防止する事が可能である。
【００６８】
また、本発明の臀部側当接部５７０は、前記臀部側当接面５７２上の要介護者１０の仙骨に対応する位置に、前記底部側５７６の側から前記臀部側当接面５７２の裏側方向にかけて、窪みを儲ける構成とすることも可能である。このような構成を採用することにより、本発明では、前記臀部側当接面５７２の裏面側の構造を薄くして、前記要介護者１０の仙骨に対応する位置の前記要介護者１０の仙骨への圧迫を防止し、また、前記臀部側当接面５７２上に窪みを設けないため、前記窪みに排泄物等が蓄積されることを防止することが可能である。
【００６９】
次に、上記自動排泄処理装置に用いる開口部が設けられたおむつ１００に前記アダプタ２００を取り付けるための、本発明に係るアダプタ取り付け治具６００について説明する。
【００７０】
本発明に係る前記アダプタ取り付け治具６００は、図１１に示すように、少なくともベース板６３０と前記ベース板６３０の上面に立設された成型フレーム６５０とから構成されている。そして、前記ベース板６３０の上面の長手方向の側面は、前記おむつ１００が使用される前記自動排泄処理装置に用いられるおむつカップ５００の前記開口部５９０のうち前記おむつの着用者１０に面した開口面が構成する曲面に適合させた曲面を有している。そのため、前記ベース板６３０の上面を長手方向の側面から見た場合には、前記上面が構成する曲面は、前記おむつカップ５００の前記臀部側当接面５７２から前記立ち上がり部５５０にかけての断面を側面から見た場合の、前記着用者１０に面した側が構成している曲面と、同様の曲面を有している。（なお、図１１では、上記アダプタ取り付け治具６００の上面からおむつ１００を被せた場合の当該おむつ１００の外周を点線で示している。）
また、前記成型フレーム６５０は、前記開口部が設けられたおむつ１００を前記ベース板６３０の上面に当接した場合に、前記おむつの開口部１２０よりも僅かに大きな相似形の外縁を有している。これは、前記おむつの開口部１２０を前記成型フレーム６５０に当接して、前記ベース板６３０の上面に前記開口部が設けられたおむつ１００を押圧した場合に、前記成型フレーム６５０の外縁に沿って前記おむつの開口部１２０の内縁側１２５を前記ベース板６３０の上面上に立設し易くして、前記立設された前記おむつの内縁側１２５を、後述するように前記輪状のフレーム２２０に巻き付け易くするためである。
【００７１】
そのため、前記おむつの開口部１２０の内縁側１２５の大きさは、前記成型フレーム６５０の外縁に沿って前記おむつの開口部１２０を前記ベース板６３０の上面に押圧した場合に、前記おむつの開口部の内縁側１２５が前記成型フレーム６５０の外縁に沿って前記ベース板６３０の上面上に立設されて、更に、前記立設されたおむつの開口部の内縁側１２５が、前記輪状のフレーム２２０に前記おむつの内縁側１２５を巻き付けられる程度に、前記成型フレーム６５０の外縁の大きさを考慮して構成されている。
【００７２】
更に、成型フレーム６５０の外縁には、前記成型フレーム６５０の外縁から内側にかけて前記仮止めクリップ２４０の一方の側面２４７を収容するための窪み６５５が設けられている。これは、上記のように、前記輪状のフレーム２２０に巻きつけた前記おむつの開口部の内縁側１２５を前記仮止めクリップ２４０により仮止めする際に、前記仮止めクリップの一方の側面２４７を収容可能にする事により、前記仮止めクリップ２４０による前記おむつの内縁側１２５と前記輪状のフレーム６５０との仮止めを容易にするものである。
【００７３】
以上のように構成される本発明に係るおむつアダプタ取り付け治具６００において、開口部を有するおむつにアダプタ２００を取り付ける手順を図１２を参照しつつ説明する。
【００７４】
図１２は、本発明に係るおむつアダプタ取り付け治具６００を用いて、開口部が設けられたおむつ１００に前記アダプタ２００を取り付ける手順を、前記おむつの開口部１２０の周辺を中心として、各構成要素の断面により模式的に現したものである。
【００７５】
最初に、前記開口部が設けられたおむつ１００を、前記開口部を備えたおむつの開口部１２０が、前記おむつアダプタ取り付け治具６００の成型フレーム６５０上に来るようにして、前記おむつアダプタ取り付け治具６００の上面に当接させる。
【００７６】
そして、図１２（Ａ）に示すように、前記おむつの開口部の内縁側１２５が前記成型フレーム６５０の外縁に沿って立設するように、前記開口部を備えたおむつ１００をベース板６３０上に押し付けて成型し、その後、前記成型フレーム６５０の外縁に沿って立設された前記おむつの内縁側１２５に輪状のフレーム２２０をはめ込んで固定する。
【００７７】
次に、上記のように成型フレーム６５０の外縁と輪状のフレーム２２０との間に挟まれて立設された前記おむつの開口部の内縁側１２５を、図１２（Ｂ）に示すように前記輪状のフレーム２２０の外縁側方向（図１２（Ｂ）中の曲線による矢印方向）に折り返すと共に、折り返されておむつの内縁側に挟まれた前記輪状のフレーム２２０と折り返したおむつの内縁側１２５部分とを固定するために、仮止めクリップ２４０により仮止めする。なお、ここで仮止めクリップ２４０のうち前記成型フレーム６５０の外縁側に面した一方の側面部分２４７は、前記成型フレーム６５０に設けた窪み６５５に収容されるため、前記仮止めに当たっての障害にならないように構成されている。
【００７８】
次に、図１２（Ｃ）に示すように、上記のようにして、仮止めクリップ２４０により仮止めした、前記輪状のフレーム２２０と前記おむつの内縁側１２５とを、前記輪状のパッキン２６０により固定する。
【００７９】
前記輪状のパッキン２６０による固定は、前記図１２（Ｃ）のように、前記輪状のフレーム２２０の周囲とその周囲に仮止めされたおむつの内縁側１２５とを、前記輪状のパッキング２６０の開口部の内側に収容することにより行われ、その収容と併せて、前記成型フレーム６５０から、アダプタ２００が装着されたおむつの開口部１２０を取り外すことにより、前記開口部を備えたおむつ１００に対し、図１２（Ｄ）に示すようにアダプタ２００を取り付けることが可能である。
【００８０】
したがって、前記おむつアダプタ取り付け治具６００を上記のような構成とする事により、開口部が設けられたおむつ１００に対して容易におむつアダプタ２００を取り付けることが可能である。そのため、前記おむつアダプタ２００を備えた開口部が設けられたおむつ１００を自動排泄処理装置に使用する場合には、低コストかつ容易に、前記おむつアダプタ２００を備えた開口部が設けられたおむつ１００を提供する事が可能である。
【符号の説明】
【００８１】
１０  要介護者
２０  おむつ
３０  おむつカップ
４０  ホースユニット
５０  本体部
１００  開口部が設けられたおむつ
１２０  おむつの開口部
１２５  おむつの開口部の内縁側
２００  輪状のアダプタ
２２０  輪状のフレーム
２４０  仮止めクリップ
２４５  仮り止めクリップの開放端側
２４７  仮止めクリップの側面
２６０  輪状のパッキン
２６２  シール用のリップ
２６４  仮止めクリップのための窪み
２６６  返し部
５００  おむつカップ
５１０  上方抜け止めロック部品
５１０Ｂ  上方抜け止めロック部品
５１２  上方向抜け止めロック部品の下部の凹部
５１５  前側当接部
５５０  立ち上がり部
５５２  立ち上がり部の上部の凸部
５５４  捕集部
５５６  吸引管接続口
５７０  臀部側当接部
５７２  臀部側当接面
５７４  受容部
５７６  臀部側当接部の底部側
５８０  突起列
５８２  突起列の頂点部
５８４  突起列の斜辺部分
５９０  おむつカップの開口部
５９３  おむつカップの開口部の段差
６００  アダプタ取り付け治具
６３０  ベース板
６５０  成型フレーム
６５５  成型フレームに設けられた仮止めクリップのための窪み
【図１】
2015112149.tif 000003
【図３】
2015112149.tif 000004
【図４】
2015112149.tif 000005
【図５】
2015112149.tif 000006
【図７】
2015112149.tif 000007
【図８】
2015112149.tif 000008
【図９】
2015112149.tif 000009
【図１０】
2015112149.tif 000010
【図１１】
2015112149.tif 000011
【図１２】
2015112149.tif 000012
【図２】
2015112149.tif 000013
【図６】
2015112149.tif 000014